(57)【要約】      （修正有）【課題】専用のセンサや回路を設けなくても、番線の誤切断を防止することができる電動はさみの異物検出機構を提供する。【解決手段】モータの回転に連動する刃部を備えた電動はさみにおいて、異物を挟み込んだことを検出する電動はさみの異物検出機構であって、刃部が異物を挟み込んだことを検知する異物検知手段を備え、前記異物検知手段による異物の検知は、前記モータのトルク情報を基に実行される。【選択図】図７
2017056196.tif 000002
【特許請求の範囲】
【請求項１】
モータの回転に連動する刃部を備えた電動はさみにおいて、異物を挟み込んだことを検出する電動はさみの異物検出機構であって、
前記刃部が異物を挟み込んだことを検知する異物検知手段を備え、
前記異物検知手段による異物の検知は、前記モータのトルク情報を基に実行されることを特徴とする、電動はさみの異物検出機構。
【請求項２】
前記モータのトルク情報として、前記モータのトルクの変化率を使用したことを特徴とする、請求項１記載の電動はさみの異物検出機構。
【請求項３】
前記モータのトルクの変化率が所定の閾値未満であれば枝を切断していると判断し、前記モータのトルクの変化率が所定の閾値以上であれば異物を挟み込んだと判断することを特徴とする、請求項２記載の電動はさみの異物検出機構。
【請求項４】
前記異物検知手段は、予め設定された閾値データから前記刃部の閉じ角度に応じて閾値を選択し、この閾値と前記モータのトルク情報とを比較して異物の検知を実行することを特徴とする、請求項１〜３のいずれか１項に記載の電動はさみの異物検出機構。
【請求項５】
前記モータのトルク情報は、前記モータの電流値、電圧値又は回転速度のいずれかを基に推定することを特徴とする、請求項１〜４のいずれか１項に記載の電動はさみの異物検出機構。
【請求項６】
前記異物検知手段による異物の検知は、前記刃部が所定の角度まで閉じたと判断するまでは無効であり、前記刃部が所定の角度まで閉じたと判断された後に有効となることを特徴とする、請求項１〜５のいずれか１項に記載の電動はさみの異物検出機構。
【請求項７】
異物の検知を実行する異物検知モードと、異物の検知を実行しない連続実行モードと、を有し、
この２つのモードを切り替えるための切替手段を備えることを特徴とする、請求項１〜６のいずれか１項に記載の電動はさみの異物検出機構。
【請求項８】
前記異物検知手段が異物を検知したときに、前記モータを停止させることを特徴とする、請求項１〜７のいずれか１項に記載の電動はさみの異物検出機構。
【請求項９】
前記異物検知手段が異物を検知したときに、前記モータを逆回転させることを特徴とする、請求項１〜７のいずれか１項に記載の電動はさみの異物検出機構。
【請求項１０】
前記異物検知手段が異物を検知したときに、ユーザに異常を報知することを特徴とする、請求項１〜７のいずれか１項に記載の電動はさみの異物検出機構。
【請求項１１】
前記異物検知手段が異物を検知したときに、前記モータの動力が前記刃部に伝わらないように動力経路を物理的に遮断することを特徴とする、請求項１〜７のいずれか１項に記載の電動はさみの異物検出機構。
【請求項１２】
前記刃部に伝わる前記モータのトルクを調整するクラッチ機構を備え、
前記異物検知手段が異物を検知したときに、前記クラッチ機構を有効にすることを特徴とする、請求項１〜７のいずれか１項に記載の電動はさみの異物検出機構。 
【発明の詳細な説明】
【技術分野】
【０００１】
この発明は、刃部を電動で開閉させて使用する電動はさみに関する。
【背景技術】
【０００２】
樹木の剪定等において、モータの駆動力で一対の刃部を開閉して枝木等の切断対象物を切断できるようにした電動はさみが用いられている。
【０００３】
ところで、果樹栽培などにおいては、支柱に番線（金属線）を設置して果樹棚を形成する場合がある。このような果樹棚を使用した果樹栽培において剪定作業を行うときに、作業者が誤って番線を切断してしまう場合がある。番線を切断してしまうと、番線の張り替え作業が発生する場合がある。また、番線を切断しなくても、硬い番線を挟み込んでしまったために電動はさみの刃部が刃こぼれする場合がある。刃部が刃こぼれした状態で電動はさみを使用し続けると、最終的に刃が破断したり、対象物を正常に切断できかったりといった問題が生じる。
【０００４】
この問題に関連する技術として、例えば、特許文献１には、刃部に専用の導電性センサ及び専用回路を設け、刃部において電気的接触が検知されたら刃部の閉じ動作を遮断するようにした電動はさみが開示されている。この特許文献１記載の技術は、専用のグローブを使用してけがを防止するためのものであるが、この技術を応用すれば、刃部において金属線を検知することで、番線の誤切断を防止できる可能性がある。
【先行技術文献】
【特許文献】
【０００５】
【特許文献１】仏国特許第２８３８９９８号公報
【発明の概要】
【発明が解決しようとする課題】
【０００６】
しかし、上記した特許文献１記載の技術は、刃部に専用の導電性センサ及び専用回路を設ける必要があるため、製造コストが高価になるという問題があった。また、機械が大型化する問題、刃部が厚くなって切断能力が低下する問題、刃部のメンテナンスが困難になる問題、樹液や水分が刃部に付着したときにセンサの誤検知の可能性がある問題などがあった。
そこで、本発明は、専用のセンサや回路を設けなくても、番線の誤切断を防止することができる電動はさみの異物検出機構を提供することを課題とする。
【課題を解決するための手段】
【０００７】
本発明は、上記した課題を解決するためになされたものであり、以下を特徴とする。
【０００８】
請求項１記載の発明は、モータの回転に連動する刃部を備えた電動はさみにおいて、異物を挟み込んだことを検出する電動はさみの異物検出機構であって、前記刃部が異物を挟み込んだことを検知する異物検知手段を備え、前記異物検知手段による異物の検知は、前記モータのトルク情報を基に実行されることを特徴とする。
【０００９】
請求項２に記載の発明は、上記した請求項１に記載の発明の特徴点に加え、前記モータのトルク情報として、前記モータのトルクの変化率を使用したことを特徴とする。
【００１０】
請求項３に記載の発明は、上記した請求項１又は２に記載の発明の特徴点に加え、前記モータのトルクの変化率が所定の閾値未満であれば枝を切断していると判断し、前記モータのトルクの変化率が所定の閾値以上であれば異物を挟み込んだと判断することを特徴とする。
【００１１】
請求項４に記載の発明は、上記した請求項１〜３のいずれかに記載の発明の特徴点に加え、前記異物検知手段は、予め設定された閾値データから前記刃部の閉じ角度に応じて閾値を選択し、この閾値と前記モータのトルク情報とを比較して異物の検知を実行することを特徴とする。
【００１２】
請求項５に記載の発明は、上記した請求項１〜４のいずれかに記載の発明の特徴点に加え、前記モータのトルク情報は、前記モータの電流値、電圧値又は回転速度のいずれかを基に推定することを特徴とする。
【００１３】
請求項６に記載の発明は、上記した請求項１〜５のいずれかに記載の発明の特徴点に加え、前記異物検知手段による異物の検知は、前記刃部が所定の角度まで閉じたと判断するまでは無効であり、前記刃部が所定の角度まで閉じたと判断された後に有効となることを特徴とする。
【００１４】
請求項７に記載の発明は、上記した請求項１〜６のいずれかに記載の発明の特徴点に加え、異物の検知を実行する異物検知モードと、異物の検知を実行しない連続実行モードと、を有し、この２つのモードを切り替えるための切替手段を備えることを特徴とする。
【００１５】
請求項８に記載の発明は、上記した請求項１〜７のいずれかに記載の発明の特徴点に加え、前記異物検知手段が異物を検知したときに、前記モータを停止させることを特徴とする。
【００１６】
請求項９に記載の発明は、上記した請求項１〜７のいずれかに記載の発明の特徴点に加え、前記異物検知手段が異物を検知したときに、前記モータを逆回転させることを特徴とする。
【００１７】
請求項１０に記載の発明は、上記した請求項１〜７のいずれかに記載の発明の特徴点に加え、前記異物検知手段が異物を検知したときに、ユーザに異常を報知することを特徴とする。
【００１８】
請求項１１に記載の発明は、上記した請求項１〜７のいずれかに記載の発明の特徴点に加え、前記異物検知手段が異物を検知したときに、前記モータの動力が前記刃部に伝わらないように動力経路を物理的に遮断することを特徴とする。
【００１９】
請求項１２に記載の発明は、上記した請求項１〜７のいずれかに記載の発明の特徴点に加え、前記刃部に伝わる前記モータのトルクを調整するクラッチ機構を備え、前記異物検知手段が異物を検知したときに、前記クラッチ機構を有効にすることを特徴とする。
【発明の効果】
【００２０】
請求項１に記載の発明は上記の通りであり、刃部が異物を挟み込んだことを検知する異物検知手段を備え、前記異物検知手段による異物の検知は、前記モータのトルク情報を基に実行される。このような構成によれば、専用のセンサや回路を設けなくても、樹木等の被切断対象物を確実に切断できるとともに、番線などの細くて硬いものを切断しようとしたときには異物を検知することができる。
【００２１】
例えば、樹木等の被切断対象物と番線とを比較すると、被切断対象物は比較的太くて柔らかく、番線は細くて硬い。このため、刃部が閉じようとする際に発生するトルクが通常の値と異なる場合は、番線を切断している可能性があるので、異物検出を行うことができる。
なお、異物の検知には、モータのトルク値をそのまま使用してもよいし、モータのトルク値の傾き（所定時間内のトルクの変動量）を使用してもよい。
【００２２】
また、請求項２に記載の発明は上記の通りであり、前記モータのトルク情報として、前記モータのトルクの変化率を使用した。このような構成によれば、異物を切断し始めたときのトルクの立ち上がりを捕捉できるので、いち早く異物の挟み込みを検知することができる。
【００２３】
すなわち、樹木等の被切断対象物は比較的太くて柔らかいため、被切断対象物を切断したときには、刃部が表皮に突き刺さった後、被切断対象物の中心付近を切断する前後でトルク値が最大となり、その後、刃部が閉じていくに従って徐々にトルク値は小さくなっていく。すなわち、被切断対象物の切断時にはトルクの上昇は緩やかな傾向にある。
一方、番線等の異物は比較的細くて硬いため、番線等の異物を切断したときには、刃部と番線が接触した直後から急激にトルクが増大する。
【００２４】
このようにモータのトルク値の傾きを使用すれば、異物を切断し始めたときのトルクの立ち上がりを捕捉できるので、いち早く異物の挟み込みを検知することができる。
【００２５】
また、請求項３に記載の発明は上記の通りであり、前記モータのトルクの変化率が所定の閾値未満であれば枝を切断していると判断し、前記モータのトルクの変化率が所定の閾値以上であれば異物を挟み込んだと判断するので、トルクの立ち上がりが緩やかな場合は、枝を切断しており、急激な立ち上がりの場合は異物と判断する制御を実行することができる。
【００２６】
また、請求項４に記載の発明は上記の通りであり、前記異物検知手段は、予め設定された閾値データから前記刃部の閉じ角度に応じて閾値を選択し、この閾値と前記モータのトルク情報とを比較して異物の検知を実行することを特徴とする。このような構成によれば、刃部の角度から太い枝と細い番線との区別が可能となり、モータのトルクから細い枝と番線との区別が可能になるので、異物を確実に検出することができる。
【００２７】
例えば、刃部が所定の角度まで閉じる前の閾値よりも、刃部が所定の角度まで閉じた後の閾値を低く設定しておけばよい（または、刃部が所定の角度まで閉じる前の閾値は設定せず、閾値が設定されていない場合には閾値のチェックを行わないようにしてもよい）。このようにすれば、刃部が所定の角度まで閉じる前にモータのトルク値が上昇した場合には、太い木を切断している可能性が高いので、異物として検知しない一方で、刃部が所定の角度まで閉じた後でモータのトルク値が上昇した場合には、番線等の比較的細くて硬い異物を切断している可能性があるので、異物として検知することができる。
【００２８】
また、請求項５に記載の発明は上記の通りであり、前記モータのトルク値は、前記モータの電流値、電圧値又は回転速度のいずれかを基に推定する。このような構成によれば、特別なセンサ等を使用しなくても、トルクの増大、すなわち異物の挟み込みを検知することができる。
【００２９】
また、請求項６に記載の発明は上記の通りであり、前記異物検知手段による異物の検知は、前記刃部が所定の角度まで閉じたと判断するまでは無効であり、前記刃部が所定の角度まで閉じたと判断された後に有効となる。このような構成によれば、刃部が所定の角度まで閉じるまではモータのトルク値が上昇しても異物の検知を行わないので、樹木等の被切断対象物を切断しているときに異物の誤検知が発生しない。また、刃部が所定の角度まで閉じた後でモータのトルク値が上昇した場合には、番線等の比較的細くて硬い異物を切断している可能性があるので、異物として検知することができる。
【００３０】
また、請求項７に記載の発明は上記の通りであり、異物の検知を実行する異物検知モードと、異物の検知を実行しない連続実行モードと、を有し、この２つのモードを切り替えるための切替手段を備える。このような構成によれば、例えば細くて硬い枝などを切るときに連続実行モードに切り替ることができるので、異物の挟み込みを誤検知する問題を回避できる。
【００３１】
また、請求項８に記載の発明は上記の通りであり、前記異物検知手段が異物を検知したときに、前記モータを停止させる。このような構成によれば、異物を検知したときにそれ以上切断動作が行われないので、番線を切断したり、刃部が刃こぼれしたりする問題を回避できる。
【００３２】
また、請求項９に記載の発明は上記の通りであり、前記異物検知手段が異物を検知したときに、前記モータを逆回転させる。このような構成によれば、異物を検知したときにそれ以上切断動作が行われないだけではなく、刃部で挟み込んだ異物が解放されるので、番線を切断したり、刃部が刃こぼれしたりする問題を回避できる。
【００３３】
また、請求項１０に記載の発明は上記の通りであり、前記異物検知手段が異物を検知したときに、ユーザに異常を報知する。このような構成によれば、ユーザが異物検知を即座に認識して対応することができる。例えば、異物を検知したときに切断動作を停止しない電動はさみとした場合には、ユーザ自身が切断動作を続行するかどうかを選択することができる。
【００３４】
また、請求項１１に記載の発明は上記の通りであり、前記異物検知手段が異物を検知したときに、前記モータの動力が前記刃部に伝わらないように動力経路を物理的に遮断する。このような構成によれば、異物を検知したときにそれ以上切断動作が行われないので、番線を切断したり、刃部が刃こぼれしたりする問題を回避できる。
【００３５】
また、請求項１２に記載の発明は上記の通りであり、前記刃部に伝わる前記モータのトルクを調整するクラッチ機構を備え、前記異物検知手段が異物を検知したときに、前記クラッチ機構を有効にする。このような構成によれば、異物を検知したときにトルクの上限値を下げることになるので、番線を切断したり、刃部が刃こぼれしたりするほどのトルクが生じないようにすることができる。
【図面の簡単な説明】
【００３６】
【図１】電動はさみの右側面図である。
【図２】電動はさみの内部構造を示す右側面図である。
【図３】電動はさみの内部構造を示す左側面図である。
【図４】切断動作を示す説明図であって、（a）刃部を開いた状態の図、（ｂ）刃部を閉じた状態の図である。
【図５】操作部材の動きを示す説明図であって、（ａ）操作部材を操作していない状態の図、（ｂ）第１の操作部を操作した状態の図、（ｃ）第２の操作部を操作した状態の図である。
【図６】電動はさみの異物検出機構の構成を示すブロック図である。
【図７】電動はさみの切断動作を示すフロー図である。
【図８】被切断対象物または異物を切断したときの電流値の変動を示す波形図である。
【図９】（ａ）ケーブルの接続端子の断面図、（ｂ）変形例に係るケーブルの接続端子の断面図である。
【図１０】ケーブルの接続端子の正面図である。
【図１１】変形例に係る電動はさみの切断動作を示すフロー図である。
【発明を実施するための形態】
【００３７】
本発明の実施形態について、図を参照しながら説明する。
本実施形態に係る電動はさみ１０は、例えば樹木の剪定等において使用されるものであり、動力源であるモータ１２の駆動力で一対の刃部１８，１９を開閉して枝木等の切断対象物を切断するものである。
【００３８】
この電動はさみ１０は、図１〜３に示すように、ハウジング１７と、ハウジング１７の後端部に設けられたケーブル接続部１１と、モータ１２と、モータ１２の回転動作を直進動作に変換するためのボールネジ機構１３と、ボールネジ機構１３の直進運動をガイドする支持部材１６と、ボールネジ機構１３の直進運動を２つの刃部１８，１９の開閉動作に変換するためのリンク機構１５と、リンク機構１５によって作動する第１刃部１８及び第２刃部１９と、モータ１２を制御するための操作部として設けられた操作部材２２と、操作部材２２に追従して揺動する揺動部材２３と、揺動部材２３によって接点が押圧されるマイクロスイッチ２４と、操作部材２２の回転角度を検出するセンサ２５と、モータ１２の回転を検出する回転検出部２６と、を備える。
【００３９】
ハウジング１７は、特に図示しないが、２つの分割片からなり、内部に作動機構を収容して機械のほぼ全体を覆っている。このハウジング１７は、リンク機構１５を覆う部分であるリンクカバー部１７ａと、操作部材２２の周囲を覆うように輪っか状に形成された操作部材ガード部１７ｂと、使用者が握り込めるように形成されたグリップ部１７ｃと、グリップ部１７ｃの後部に設けられた後端部１７ｄと、を備える。
【００４０】
リンクカバー部１７ａは、ハウジング１７の前端部に設けられてリンク機構１５を収容しており、その前端部から第１刃部１８及び第２刃部１９を突出させている。
【００４１】
操作部材ガード部１７ｂは、リンクカバー部１７ａの後部下方に設けられ、リンクカバー部１７ａとグリップ部１７ｃとの境目（間）に設けられている。この操作部材ガード部１７ｂは、輪っか状に形成されており、使用者がグリップ部１７ｃを握り込んだときに、この輪っか状の操作部材ガード部１７ｂの中に人差し指を引っ掛けることができるように配置されている。操作部材ガード部１７ｂの内側には、操作部材２２が操作可能に露出している。詳しくは後述するが、操作部材２２の第１の操作部２２ｂ（トリガ）が手前（グリップ部１７ｃ側）に操作可能に露出しており、操作部材２２の第２の操作部２２ｄが前方（リンクカバー部１７ａ側）に操作可能に露出している。
【００４２】
グリップ部１７ｃは、リンクカバー部１７ａよりも細く、また後端部１７ｄよりもやや細く形成され、使用者が握り込み易い形状となっている。このグリップ部１７ｃの中にはボールネジ機構１３が内蔵されている。
【００４３】
後端部１７ｄは、ハウジング１７の後端に設けられてモータ１２などを収容しており、その後端面１７ｅにはケーブル接続部１１が設けられている。
【００４４】
ケーブル接続部１１は、ケーブル３０を接続するための部位であり、電力線や信号線を接続するための端子を備えている。このケーブル接続部１１に接続されたケーブル３０は、電源装置４０（図６参照）に接続されている。電源装置４０またはケーブル３０には電源スイッチが設けられており、この電源スイッチを投入することで、ケーブル３０を介して電源装置４０から電動はさみ１０へと電力が供給される。
【００４５】
モータ１２は、第１刃部１８及び第２刃部１９を閉じ動作させる動力源であり、電源装置４０から供給された電力により作動する。このモータ１２の出力軸は、後述するボールネジ機構１３に接続されている。なお、モータ１２の出力軸とボールネジ機構１３との間に減速機構１４などを設けてもよいし、モータ１２の出力軸とボールネジ機構１３とを直接接続してもよい。
【００４６】
ボールネジ機構１３は、モータ１２の回転動作を直進動作に変換するものである。このボールネジ機構１３は、特に図示しないが、モータ１２の回転力を受けて回転するネジ軸と、ネジ軸のネジ溝に噛合するナット部とを備えている。これにより、モータ１２の駆動力によってネジ軸が回転駆動されると、ナット部がネジ軸に沿って直線移動するように形成されている。このナット部には、後述するリンク機構１５の駆動軸１５ａが接続されており、この駆動軸１５ａはナット部と一体的に前後に直線移動するように形成されている。
【００４７】
支持部材１６は、ボールネジ機構１３の直進運動をガイドするためのものである。この支持部材１６には、ガイド方向に延びるガイド溝１６ａが設けられており、このガイド溝１６ａにリンク機構１５の駆動軸１５ａが係合している。このため、ガイド溝１６ａの延設方向に沿ってナット部及び駆動軸１５ａが移動するようになっている。
【００４８】
リンク機構１５は、駆動軸１５ａの直進運動を第１刃部１８及び第２刃部１９の開閉動作に変換するためのものである。このリンク機構１５は、駆動軸１５ａによって回転可能に連結された第１リンク１５ｂ及び第２リンク１５ｃを備えている。第１リンク１５ｂは、一端が駆動軸１５ａに接続され、他端が接続軸１８ｃを介して第１刃部１８に接続されている。また、第２リンク１５ｃは、一端が駆動軸１５ａに接続され、他端が接続軸１９ｃを介して第２刃部１９に接続されている。
【００４９】
第１刃部１８及び第２刃部１９は、刃軸２０を支点に回転可能に支持されており、刃軸２０において交差するように組み合わされている。第１刃部１８は、刃軸２０よりも先端側の切断部１８ａに刃が形成されており、刃軸２０よりも根元側の根元部１８ｂは、接続軸１８ｃを介して第１リンク１５ｂに回転可能に接続されている。同様に、第２刃部１９は、刃軸２０よりも先端側の切断部１９ａに刃が形成されており、刃軸２０よりも根元側の根元部１９ｂは、接続軸１９ｃを介して第２リンク１５ｃに回転可能に接続されている。
【００５０】
上記したリンク機構１５、第１刃部１８及び第２刃部１９は、図４に示すように、ボールネジ機構１３の直進運動によって作動する。
具体的には、駆動軸１５ａが刃軸２０に対して接近する方向に移動すると、第１リンク１５ｂ及び第２リンク１５ｃが開き方向に作動する。これにより、第１刃部１８及び第２刃部１９の根元部１８ｂ，１９ｂが互いに離反する方向に変位するとともに、第１刃部１８及び第２刃部１９の切断部１８ａ，１９ａが互いに閉じる方向に回動し、切断動作を行う。
【００５１】
一方、駆動軸１５ａが刃軸２０に対して離反する方向に移動すると、第１リンク１５ｂ及び第２リンク１５ｃが閉じ方向に作動する。これにより、第１刃部１８及び第２刃部１９の根元部１８ｂ，１９ｂが互いに接近する方向に変位するとともに、第１刃部１８及び第２刃部１９の切断部１８ａ，１９ａが互いに開く方向に回動する。
【００５２】
本実施形態に係る操作部材２２は、シャフト２２ａを軸に回動可能に取り付けられている。操作部材２２は、図２等に示すような側面視略Ｌ字形をしており、シャフト２２ａが設けられた位置からそれぞれ別の方向に延びる第１の操作部２２ｂと第２の操作部２２ｄとを備えている。第１の操作部２２ｂは、モータ１２の作動を制御するための操作部であり、モータ１２の作動を制御することで第１刃部１８及び第２刃部１９による開閉（切断）動作を実行（制御）するためのものである。第２の操作部２２ｄは、補助動作（例えば作動モードの切り替え）をするためのものである。これら第１の操作部２２ｂ及び第２の操作部２２ｄは、それぞれ向かい合うように配置され、操作部材ガード部１７ｂの内側に操作可能に露出している。したがって、第１の操作部２２ｂと第２の操作部２２ｄとの間に指を挿入し、図５（ｂ）に示すように指をシャフト２２ａに対して後方（グリップ部１７ｃ側）に動かすと第１の操作部２２ｂを操作できるようになっており、図５（ｃ）に示すように指をシャフト２２ａに対して前方（リンクカバー部１７ａ側）に動かすと第２の操作部２２ｄを操作できるようになっている。第１の操作部２２ｂまたは第２の操作部２２ｄが操作されると、操作部材２２はシャフト２２ａを軸に回転する。このように、電子はさみ１０は、第１の操作部２２ｂがグリップ部１７ｃ側に近づくように引く操作がされると第１刃部１８及び第２刃部１９による開閉動作を実行し、第２の操作部２２ｄがグリップ部１７ｃ側から遠ざかるように押す操作がされると補助動作を実行する。なお、第１の操作部２２ｂと第２の操作部２２ｄは互いに相対移動不能に設けられており、第１の操作部２２ｂ（第２の操作部２２ｄ）が操作されると、第２の操作部２２ｄ（第１の操作部２２ｂ）もこれに連動して第１の操作部２２ｂ（第２の操作部２２ｄ）と同じ方向に動く。このため、第１の操作部２２ｂと第２の操作部２２ｄは同時に操作することはできず、別々に操作されて第１の操作部２２ｂを操作したときと第２の操作部２２ｄを操作したときとでは、操作部材２２が異なる方向に回転するようになっている。
【００５３】
なお、第１の操作部２２ｂの内部には、図４に示すようなローラ２２ｃが設けられている。このローラ２２ｃは、後述する揺動部材２３を押動するためのものである。
【００５４】
揺動部材２３は、操作部材２２の第１の操作部２２ｂが操作されたときに、操作部材２２の回転に追従して揺動する部材である。この揺動部材２３は、揺動軸２３ａを軸に揺動可能となっており、操作部材２２が回転したときにローラ２２ｃによって揺動させられるようになっている。この揺動部材２３は、後述するマイクロスイッチ２４の接点部２４ａに臨むように配置された押圧部２３ｂを備えており、ローラ２２ｃによって揺動させられたときに押圧部２３ｂがマイクロスイッチ２４の接点部２４ａを押し込むようになっている。
【００５５】
マイクロスイッチ２４は、操作部材２２の第１の操作部２２ｂが操作されたことを検出するためのものである。前述したように、操作部材２２の第１の操作部２２ｂが操作されると、揺動部材２３がマイクロスイッチ２４をオンするように構成されているため、マイクロスイッチ２４のオン・オフを検出することで操作部材２２の第１の操作部２２ｂが操作されたか否かを判別することができる。
【００５６】
センサ２５は、操作部材２２の回転角度を検出するためのものである。センサ２５としては、操作部材２２の操作を検出できるものであれば種類を問わないが、例えばシャフト２２ａに接続したポテンショメータを使用することができる。ポテンショメータを使用した場合、操作部材２２の操作量を詳細に把握することができる。
【００５７】
回転検出部２６は、モータ１２の回転を検出するためのものであり、例えばホールＩＣなどで構成される。回転検出部２６をホールＩＣで構成した場合、モータ１２のシャフトやホイールなどの回転部分に磁石を取り付け、この磁石の有無をホールＩＣで検出することでモータ１２の回転を検出する。この回転検出部２６が検出したモータ１２の回転は、ケーブル３０を介して電源装置４０に送信されて使用される。
【００５８】
このような電動はさみ１０の動作は、電動はさみ１０または電源装置４０に内蔵された制御装置によって制御される。制御装置は、操作部材２２の第１の操作部２２ｂが操作され、マイクロスイッチ２４がオンになったことが検出されると、センサ２５によって操作部材２２の回転角度を検出する。そして、検出した角度に応じてモータ１２を正回転させ、２枚の刃部１８，１９を閉じる方向に作動させる。操作部材２２の第１の操作部２２ｂを目一杯まで操作すると、２枚の刃部１８，１９が完全に閉じた状態となる。なお、第１の操作部２２ｂが離された場合には、図示しないバネによって操作部材２２が初期位置に戻される。操作部材２２が初期位置に戻されたことをセンサ２５が検出すると、センサ２５は制御装置に制御信号を送信する。この制御信号を受信した制御装置は、モータ１２を逆回転させて、最大開き角度となるまで２枚の刃部１８，１９を作動させる。これにより、２枚の刃部１８，１９が初期位置まで戻ることになる。同時に、操作部材２２が初期位置に戻ったところでマイクロスイッチ２４がオフになるので、２枚の刃部１８，１９は最大開き角度での停止が維持される。
【００５９】
上記した電動はさみ１０に電力を供給する電源装置４０は、図６に示すように、ケーブル接続部４３と、二次電池４４と、制御基板１００と、スピーカ４１と、ＬＥＤ４２と、を備える。
【００６０】
ケーブル接続部４３は、ケーブル３０を接続するための部位であり、電力線や信号線を接続するための端子を備えている。すなわち、このケーブル接続部４３は、ケーブル３０を使用して電動はさみ１０と電源装置４０とを接続するためのものである。
【００６１】
二次電池４４は、電動はさみ１０へ供給する電力を蓄えるためのものである。この二次電池４４は、電源装置４０を駆動するためにも使用される。
【００６２】
制御基板１００は、電動はさみ１０の作動を制御するためのものであり、ＣＰＵやメモリ、制御回路を有している。本実施形態においては、この制御基板１００は、２枚の刃部１８，１９が異物を挟み込んだことを検知する異物検知手段を構成している。なお、制御基板１００は異物検知手段の他にもさまざまな機能を有しているが、これらの機能については説明を省略する。
【００６３】
この制御基板１００は、回転判断部１１０と、電流検出部１２０と、電流変化量計算部１３０と、電流判断部１４０と、を備えることで、上記した異物検知手段を構成している。
【００６４】
回転判断部１１０は、電動はさみ１０の回転検出部２６から送信されたモータ１２の回転信号を取得し、モータ１２の回転量が所定の回転量に達しているか否かをチェックする。モータ１２の回転量は、２枚の刃部１８，１９が初期位置となったときにリセットし、その後、回転検出部２６からモータ１２の回転信号を取得するごとにカウントアップしていくことで計測される。回転判断部１１０は、モータ１２の回転量が所定の回転量に達したときに、２枚の刃部１８，１９が所定の角度まで閉じたと判断する。
【００６５】
電流検出部１２０は、電動はさみ１０へと供給される電流値を計測することで、モータ１２へ供給される電流値を検出する。電流検出部１２０が計測した電流値は、モータ１２のトルク値を計算するために使用され、言い換えると、異物の検知に使用される。
【００６６】
電流変化量計算部１３０は、電流検出部１２０が検出した電流値を基に、一定時間内（例えば１ｍｓ）における電流値の変化量を計算する。これにより、一定時間内におけるモータ１２のトルク値の傾き（所定時間内のトルクの変動量、すなわちトルクの変化率）を推定する。
【００６７】
電流判断部１４０は、回転判断部１１０からモータ１２の回転量に関する情報を取得し、また、電流変化量計算部１３０からモータ１２のトルク情報（本実施形態においてはトルクの変化率）を取得する。そして、これらの情報に基づいて異物の挟み込みの可能性を判断する。具体的には、回転判断部１１０から取得した情報によって２枚の刃部１８，１９の閉じ角度が推定されたら、電流判断部１４０は、予め設定された閾値データからこの閉じ角度に応じた特定の閾値を選択する。そして、この特定の閾値と、電流変化量計算部１３０から取得したモータ１２のトルク情報とを比較する。そして、電流変化量計算部１３０が計算した電流値の変化量がこの特定の閾値を超えている場合には、異物を挟み込んだと判断し、所定のエラー処理を実行する。
【００６８】
なお、モータ１２のトルク情報と比較するための閾値データは、電動はさみ１０の使用目的等に応じて予め機械に設定されている。閾値データに含まれる閾値は、刃部１８，１９の閉じ角度（モータ１２の回転量）に紐付けられて管理されている。閾値は、少なくとも２種類の異なる閾値が切り替えて使用される。例えば、モータ１２が６０回転未満の範囲では閾値Ａが使用され、モータ１２が６０回転以上の範囲では閾値Ｂが使用される、というように、刃部１８，１９の閉じ角度（モータ１２の回転量）に応じて切り替えて使用される。
【００６９】
なお、刃部１８，１９の閉じ角度（モータ１２の回転量）が一定範囲にある場合に異物検知を行わないようにしたい場合には、この一定範囲において「閾値なし」としてもよい。例えば、刃部１８，１９が所定の角度まで閉じる前の閾値を設定せず、刃部１８，１９が所定の角度まで閉じた後の閾値だけを設定するようにし、閾値が設定されていない場合には電流判断部１４０による閾値のチェックを行わないようにしてもよい。このようにすれば、刃部１８，１９が所定の角度まで閉じる前にモータ１２のトルク値が上昇した場合には、太い木を切断している可能性が高いので、異物として検知しない一方で、刃部１８，１９が所定の角度まで閉じた後でモータ１２のトルク値が上昇した場合には、番線等の比較的細くて硬い異物を切断している可能性があるので、異物として検知することができる。
【００７０】
スピーカ４１は、電源投入時のブザー音や、エラー時のブザー音を出力するためのものである。
【００７１】
ＬＥＤ４２は、電動はさみ１０の作動モードや、エラー表示を行うためのものである。
【００７２】
次に、図７を参照しつつ、電動はさみ１０の切断動作及び異物検知動作について説明する。
まず、図７に示すステップＳ１００において、操作部材２２が操作され、モータ１２が駆動を開始する。
【００７３】
ステップＳ１０１では、回転判断部１１０がモータ１２の回転量を取得する。そして、ステップＳ１０２へ進む。
【００７４】
ステップＳ１０２では、一定間隔で電流検出部１２０が電流値を計測し、この電流値を基に、電流変化量計算部１３０が一定時間内における電流値の変化量を計算する。そして、ステップＳ１０３に進む。
【００７５】
ステップＳ１０３では、電流判断部１４０が、回転判断部１１０からモータ１２の回転量に関する情報を取得し、２枚の刃部１８，１９の閉じ角度を推定する。そして、この閉じ角度を基に、予め設定された閾値データから閾値を選択する。また、電流変化量計算部１３０からモータ１２のトルク情報（一定時間内における電流値の変化量）を取得する。そして、この電流値の変化量が閾値を超えているか否かをチェックする。電流値の変化量が閾値を超えている場合には、異物を挟み込んだと判断し、ステップＳ１０６へ進む。一方、電流値の変化量が閾値を超えていない場合には、ステップＳ１０４に進む。
【００７６】
ステップＳ１０４に進んだ場合、２枚の刃部１８，１９が完全に閉じた状態であるかをチェックする。２枚の刃部１８，１９が完全に閉じた状態であることが検出されたら、ステップＳ１０５に進む。一方、２枚の刃部１８，１９が完全に閉じた状態でなければ、ステップＳ１０１に戻る。
【００７７】
ステップＳ１０５に進んだ場合、モータ１２を停止させ、処理を完了する。
ステップＳ１０６に進んだ場合、すなわち、ステップＳ１０３において異物を挟み込んだと判断した場合、所定のエラー処理を実行する。本実施形態に係るエラー処理は、モータ１２を停止させるとともに、モータ１２を逆回転させる処理である。この処理を実行することで、番線などの異物を挟み込んだ場合でも異物を切断してしまう前に刃部１８，１９が開くようになっている。
【００７８】
上記したように、本実施形態における電動はさみ１０の異物検出機構は、刃部１８，１９の角度情報とモータ１２のトルク情報とを監視することで、異物の検知を実行している。この検知の仕組みは以下のような着目点に基づいている。
【００７９】
すなわち、図８に示すように太い枝を切断したときは、刃部１８，１９が閉じはじめたタイミングでモータ１２のトルクが増大し始め、所定角度付近でモータ１２のトルクが最大となる（図８のＸにおけるモータ回転量が「５０」付近の波形を参照）。一方で、番線などの異物を切断したときには、刃部１８，１９が閉じきる寸前にモータ１２のトルクが急激に増大し、太い枝を切断したときのＸと同等の最大値となる（図８のＹにおけるモータ回転量が「７０」付近の波形を参照）。
【００８０】
また、波形Ｚに示すように通常の細い枝を切断する場合には、モータ１２のトルクが増大するタイミングは、番線を切断した時と同等のモータ回転量「７０」付近であるが、トルクはそれほど大きくならない。
【００８１】
この実験結果が示すように、細くて硬い番線を切断した場合と、細い生木を切断した場合は、モータ１２のトルクが変動するタイミングが同じであっても、最大トルクは異なる。
【００８２】
また、比較的太くて軟らかい生木を切断した場合と、細くて硬い番線を切断した場合とでは、モータ１２のトルクの最大値が同等であったとしても、トルクが変動するタイミングが異なる。
【００８３】
本発明者らは、このような切断対象ごとに異なるトルク値や変動タイミングの違いに着目し、刃部１８，１９の角度に応じて異物を判別するためのトルクの閾値を切り替えるようにした。
【００８４】
本実施形態においては、太い枝を切断するときにトルクが最大になるモータ回転量「５０」付近と、番線を切断する時にトルク値が最大になるモータ回転量「７０」付近において、それぞれ異なる閾値を設定した。このため、太い枝を切断したときにトルク値が増大しても、異物を誤検知して作業が停止することがない。また、異物を確実に検知するので番線やはさみを破損させることがない。
【００８５】
また、刃部１８，１９が所定の角度まで閉じたタイミングを基準に、異物検出動作の有効・無効を切り替えるようにしてもよいし、所定の角度以上における閾値を極端に大きな値を設定して、刃部１８，１９が所定の角度まで閉じたタイミングまでは、実質的に異物検出動作を無効にしておくような設定にしてもよい。
【００８６】
例えば、モータ１２の回転量が所定の回転量（例えば「６０」）となるまでは閾値を設定せず、モータ１２の回転量が所定の回転量（例えば「６０」）となったときに閾値を設定するようにしてもよい。このようにすれば、太い枝を切断したときにトルクが増大するタイミング（モータ１２の回転量が「５０」付近）では、閾値が設定されていないので異物の検知が実質的に実行されず、異物の誤検知は発生しない。一方、番線を切断したときにトルクが増大するタイミング（モータ１２の回転量が「７０」付近）では異物の検知が実行されているので、確実に異物を検知することができる。
【００８７】
なお、モータ１２のトルク値ではなく、トルクの変化量を監視することで、異物検出の効果を向上させることが可能になる。すなわち、図８に示すように枝を切断したときは、刃部１８，１９の閉じ動作に伴って確実に刃部が枝に貫入するので、モータ１２のトルクが比較的緩やかに増大し始めるが、番線などの異物を切断したときには、刃部１８，１９が貫入できないためトルクが急激に増大する。このような切断対象ごとに異なるトルク値の変化率に着目することで、異物検知の精度を向上させることができる。また、刃部１８，１９が切断対象に接触した時のトルクの立ち上がり方で判断するので、電動はさみ１０や番線に与える影響を最小に抑えることが可能になる。
【００８８】
このとき、モータ１２のトルクの変化率が所定の閾値未満であれば枝を切断していると判断し、モータ１２のトルクの変化率が所定の閾値以上であれば異物を挟み込んだと判断するようにすればよい。トルクの変化率と比較する所定の閾値は、固定値であってもよいし、上限値波形（または下限値波形）であってもよい。所定の閾値が固定値の場合には、この固定値を一定時間内におけるモータ１２のトルクの変化量と比較すればよい。所定の閾値が上限値波形（または下限値波形）の場合には、この上限値波形（または下限値波形）とモータ１２のトルクの変化波形とを比較すればよい。
なお、波形Ｚに示すように、通常の細い枝を切断する場合には、モータ１２のトルクがそれほど大きくならないので、異物の誤検知は発生しない。
【００８９】
しかしながら、枝の種類によっては、細くて硬い枝を切断したときに、この細くて硬い枝が番線などの異物と判断されてしまう可能性がないとは言い切れない。このため、本実施に形態に係る電動はさみ１０は、異物の検知を実行する異物検知モードと、異物の検知を実行しない連続実行モードと、を有している。連続実行モードにおいては、上記フロー図におけるステップＳ１０２、ステップＳ１０３、ステップＳ１０６が実行されず、刃部１８，１９が所定の角度まで閉じた後であっても異物検知が実行されないようになっている。このため、細くて硬い枝を切断する場合には、連続実行モードに切り替えることで、異物の誤検知を回避することができる。
【００９０】
上記したモードを切り替えるときには、操作部材２２を切断動作のときとは異なる方向に操作する。すなわち、操作部材２２の第２の操作部２２ｄを操作する。操作部材２２の第２の操作部２２ｄが操作されると、この操作がセンサ２５によって検出される。第２の操作部２２ｄが操作されたことをセンサ２５が検出すると、センサ２５が制御信号を制御装置に送信する。この制御信号を受信した制御装置は作動モードを変更する。具体的には、異物検知モードであれば連続実行モードに移行し、連続実行モードであれば異物検知モードに移行する。選択されたモードは、もう一度操作部材２２の第２の操作部２２ｄが操作されるまでは保持され、以降の操作においては選択されたモードが適用される。
【００９１】
なお、作動モードは電動はさみ１０の電源を落とした後でも復元されるようになっている。すなわち、異物検知モードの状態で電動はさみ１０の電源を落とした場合、次回電源投入時には異物検知モードの状態で電動はさみ１０が起動するようになっている。また、連続実行モードの状態で電動はさみ１０の電源を落とした場合、次回電源投入時には連続実行モードの状態で電動はさみ１０が起動するようになっている。
【００９２】
なお、本実施形態においては、操作部材２２の第２の操作部２２ｄによって作動モードを切り替えるようにしたが、これに限らず、他の操作手段によって作動モードを切り替えるようにしてもよい。電源を落とし、再起動することで別モードに移行するようにしてもよい。
【００９３】
ところで、この電動はさみ１０に使用されるケーブル３０は、図９に示すような接続端子３２を備えている。このケーブル３０の接続端子３２は、複数のメスピン３４Ａ〜３４を備えており、これらのメスピン３４Ａ〜３４Ｎが電動はさみ１０のケーブル接続部１１と電源装置４０のケーブル接続部４３に接続されるようになっている。
【００９４】
ケーブル３０の内部には複数の芯線３１が通っており、それぞれ信号線または電力線として使用される。本実施形態に係る芯線３１は、図９（ａ）に示すように、芯線３１の少なくとも一本が、接続端子３２付近で二股に分岐して分岐部３３を形成している。分岐した芯線３１は、それぞれ別のメスピンに電気的に接続されている。このため、図９（ａ）に示す例においては、メスピン３４Ａとメスピン３４Ｋとが同じ信号または電力を伝達するために使用され、メスピン３４Ｍとメスピン３４Ｆとが同じ信号または電力を伝達するために使用されている。このように、１つの信号線または電力線に対して複数のメスピンを設けることで、端子部（メスピン、オスピン）における接触不良が発生しても、他の端子部（メスピン、オスピン）を使用して機能を維持することができる。また、同じ信号や電力を伝達する端子部を増やすことで、接触抵抗を下げ、故障を防ぐことができる。
【００９５】
なお、上記した例では芯線３１を分岐するようにしたが、これに代えて、図９（ｂ）に示すように、１つの信号線または電力線に対して複数の芯線３５Ａ〜３５Ｄを設けるようにしてもよい。すなわち、図９（ｂ）に示す例においては、メスピン３４Ａとメスピン３４Ｋとが同じ信号または電力を伝達するために使用されており、これに対応する芯線３５Ａと芯線３５Ｂとが同じ信号または電力を伝達するために使用されている。また、メスピン３４Ｍとメスピン３４Ｆとが同じ信号または電力を伝達するために使用されており、これに対応する芯線３５Ｃと芯線３５Ｄとが同じ信号または電力を伝達するために使用されている。このように構成した場合でも、図９（ａ）に示す例と同様の効果を得ることができる。
【００９６】
また、図９（ａ）及び図９（ｂ）に示す例に代えて、または、図９（ａ）及び図９（ｂ）に示す例に併せて、接触抵抗に対する耐性を考慮してメスピン３４Ａ〜３４Ｎの配置を変えてもよい。すなわち、回路構成上、それぞれの信号線または電力線に接続された抵抗の抵抗値が異なるため、それぞれの信号線または電力線によって接触抵抗に対する耐性が異なる。この接触抵抗に対する耐性を考慮してメスピン３４Ａ〜３４Ｎの配置を設定してもよい。
【００９７】
具体的には、図１０に示すように、外側に配置された１０個のメスピン３４Ａ〜３４Ｊと、内側に配置された４個のメスピン３４Ｋ〜３４Ｎとがある場合、接触抵抗に対する耐性が大きいものを外側に配置し、接触抵抗に対する耐性が小さいものを内側に配置する。このように配置することで、接触不良や故障が発生しにくい構造とすることができる。すなわち、ケーブル３０の接続端子３２に負荷がかかると、外側のメスピン３４Ａ〜３４Ｊが荷重を受けやすい。このように荷重を受けやすい外側のメスピン３４Ａ〜３４Ｊに対して、接触抵抗に対する耐性が大きい信号線または電力線を接続することで、摺動摩耗などの影響を最小限とすることができる。
【００９８】
具体的な配置としては、接触抵抗に対する耐性が小さい信号線または電力線から順に内側のメスピン３４Ｋ〜３４Ｎを割り当てて、残りの信号線または電力線を外側のメスピン３４Ａ〜３４Ｊに割り当てる方法が考えられる。
【００９９】
また、他の配置として、内側のメスピン３４Ｋ〜３４Ｎには、接触抵抗に対する耐性が小さい信号線を割り当て、外側のメスピン３４Ａ〜３４Ｊには、残りの信号線と電力線とを割り当てる方法が考えられる。この配置において電力線を外側に配置しているのは、電力線は、摺動摩擦により生じる腐食物が信号線よりも堆積しにくいため、信号線と比較して接触抵抗が増加しにくいという性質を考慮したためである。
【０１００】
また、図９（ａ）及び図９（ｂ）に示すように、１つの信号線または電力線に対して複数のメスピンが対応している場合には、少なくとも１つのメスピンを内側に配置することが望ましい。できれば２つのメスピンを内側に配置することで、故障の発生を効果的に防ぐことができる。
【０１０１】
以上説明したように、本実施形態によれば、モータ１２のトルク情報と刃部１８，１９の角度に応じて設定された閾値とを比較する事によって異物の検知を行っている。このような構成によれば、樹木等の被切断対象物を確実に切断できるとともに、番線などの細くて硬いものを切断しようとしたときには異物を検知することができる。
【０１０２】
すなわち、樹木等の被切断対象物を切断したときには、樹木等の被切断対象物は比較的太いため、刃部１８，１９が閉じ切る前にトルクが最大となる。そしてその後、刃部１８，１９が閉じていくに従ってトルクが小さくなっていく。一方、番線などの細くて硬い異物を切断したときには、刃部が閉じ切る直前にトルクが最大となる。
【０１０３】
さらに、本発明者らは、このような切断対象ごとのトルク変動の違いに着目し、刃部１８，１９が所定の角度まで閉じたタイミングを基準に、異物検出動作の有効・無効を切り替えるようにした。これにより、異物検知手段は、被切断対象物を切断したきの最大トルクは検出しないが、番線などの異物を切断したときの最大トルクは検出するので、トルクの異常増大を検出することで異物の挟み込みを検知することができる。
しかも、こうした異物検出を専用のセンサや回路を設けなくても行うことができる。
【０１０４】
また、異物の検知を実行する異物検知モードと、異物の検知を実行しない連続実行モードと、を有し、この２つのモードを切り替えるための切替手段を備えている。このような構成によれば、例えば細くて硬い枝などを切るときに連続実行モードに切り替えることができるので、異物の挟み込みを誤検知する問題を回避できる。
【０１０５】
また、前記異物検知手段が異物を検知したときに、前記モータ１２を停止させる。このような構成によれば、異物を検知したときにそれ以上切断動作が行われないので、番線を切断したり、刃部１８，１９が刃こぼれしたりする問題を回避できる。
【０１０６】
また、前記異物検知手段が異物を検知したときに、前記モータ１２を逆回転させる。このような構成によれば、異物を検知したときにそれ以上切断動作が行われないだけではなく、刃部１８，１９で挟み込んだ異物が解放されるので、番線を切断したり、刃部が刃こぼれしたりする問題を回避できる。
【０１０７】
なお、上記した実施形態においては、モータ１２の電流値を使用して、モータ１２のトルク値の傾き（所定時間内のトルクの変動量）を推定し、これにより異物の検知を行うようにした。しかしながら、本発明の実施形態としてはこれに限らず、モータ１２の電流値ではなく、モータ１２の電圧値やモータ１２の回転速度を基にモータ１２のトルク値を推定してもよい。また、異物の検知を行う際に、モータ１２のトルク値の傾きを計算せず、モータ１２のトルク値（電流検出部１２０が検出した電流値）をそのまま使用して、異物の検知を行うようにしてもよい。ただし、モータ１２のトルク値の傾きを使用すれば、異物を切断し始めたときのトルクの立ち上がりを捕捉できるので、いち早く異物の挟み込みを検知することができる。
【０１０８】
また、上記した実施形態においては、刃部１８，１９が所定の角度まで閉じたと判断する方法として、モータ１２の回転量を計測する方法を使用している。しかしながら、本発明の実施形態としてはこれに限らない。例えば、モータ１２の作動時間を計測し、モータ１２の作動時間が一定時間に達したら、刃部１８，１９が所定の角度まで閉じたと判断するようにしてもよい。また、リンク機構１５の駆動軸１５ａの位置を検出し、リンク機構１５の駆動軸１５ａが所定の位置まで移動したら、刃部１８，１９が所定の角度まで閉じたと判断するようにしてもよい。
【０１０９】
また、上記した実施形態においては、異物を検知したときのエラー処理として、モータ１２を停止させるとともに、モータ１２を逆回転させるようにした。しかしながら、本発明の実施形態としてはこれに限らず、モータ１２を停止させるだけとしてもよい。また、スピーカ４１やＬＥＤ４２でユーザに異常を報知するようにしてもよい。ユーザに異常を報知するようにすれば、ユーザが異物検知を即座に認識して対応することができる。例えば、ユーザに切断動作を続行するかどうかを選択させることができる。
【０１１０】
また、上記した実施形態においては、エラー処理において切断動作を停止させる方法として、モータ１２を制御することにより切断動作を停止させるようにしている。しかし、本発明の実施形態としてはこれに限らない。
【０１１１】
例えば、前記異物検知手段が異物を検知したときに、前記モータ１２の動力が前記２枚の刃部１８，１９に伝わらないように動力経路を物理的に遮断するようにしてもよい。このように構成した場合でも、異物を検知したときにそれ以上切断動作が行われないので、番線を切断したり、刃部が刃こぼれしたりする問題を回避できる。動力経路の遮断は、例えば歯車等の噛合を解除すればよい。
【０１１２】
また別の方法として、前記２枚の刃部１８，１９に伝わる前記モータ１２のトルクを調整するクラッチ機構を備え、前記異物検知手段が異物を検知したときに、前記クラッチ機構を有効にするようにしてもよい。このように構成した場合、異物を検知したときにトルクの上限値を下げることになるので、番線を切断したり、刃部が刃こぼれしたりするほどのトルクが生じないようにすることができる。クラッチ機構としては、例えば公知のバネクラッチを使用すればよい。クラッチ機構が無効の場合には、トルクが完全に伝達されるようにし、クラッチ機構が有効の場合には、トルク伝達の許容量を超えたトルクは伝達されないようにすればよい。
【０１１３】
また、上記した実施形態に係る電動はさみ１０は、２枚の刃部が両方とも動く両刃可動式であるが、これに限らず、一方の刃部が固定されて他方の刃部が動く片刃可動式の電動はさみ１０であっても同様に本発明を適用することができる。
【０１１４】
（異物検知動作の変形例について）
上記した実施形態においては、２枚の刃部１８，１９の閉じ角度と一定時間内における電流値の変化量とに基づいて異物検知動作を行うようにしたが、これに代えて下記のような方法で異物検知動作を行うようにしても、同様の効果を得ることができる。
【０１１５】
（変形例１）
この変形例では、電流値が所定の閾値以上か否かに基づいて異物検知動作を行う。
すなわち、図１１に示すように、ステップＳ２００において、操作部材２２が操作され、モータ１２が駆動を開始する。
【０１１６】
ステップＳ２０２では、一定間隔で電流検出部１２０が電流値を計測する。この電流値が異物検出に使用されるモータ１２のトルク情報として取得され、使用される。そして、ステップＳ２０３に進む。
【０１１７】
ステップＳ２０３では、異物検知手段が、ステップＳ２０２で取得した電流値が予め設定された閾値を超えているか否かをチェックする。電流値が閾値を超えている場合には、異物を挟み込んだと判断し、ステップＳ２０６へ進む。一方、電流値が閾値を超えていない場合には、ステップＳ２０４に進む。
【０１１８】
ステップＳ２０４に進んだ場合、２枚の刃部１８，１９が完全に閉じた状態であるかをチェックする。２枚の刃部１８，１９が完全に閉じた状態であることが検出されたら、ステップＳ２０５に進む。一方、２枚の刃部１８，１９が完全に閉じた状態でなければ、ステップＳ２０２に戻る。
ステップＳ２０５に進んだ場合、モータ１２を停止させ、処理を完了する。
【０１１９】
ステップＳ２０６に進んだ場合、すなわち、ステップＳ２０３において異物を挟み込んだと判断した場合、所定のエラー処理を実行する。例えば、モータ１２を停止させるとともに、モータ１２を逆回転させる。
【０１２０】
なお、上記した変形例では、電流値をモータ１２のトルク情報として取得したが、これに代えて、電動はさみ１０へと供給される電圧値を計測し、この電圧値をモータ１２のトルク情報として取得してもよい。
【０１２１】
（変形例２）
この変形例では、電流値の変化量が所定の閾値以上か否かに基づいて異物検知動作を行う。
すなわち、図１１に示すように、ステップＳ２００において、操作部材２２が操作され、モータ１２が駆動を開始する。
【０１２２】
ステップＳ２０２では、一定間隔で電流検出部１２０が電流値を計測し、この電流値を基に、電流変化量計算部１３０が一定時間内における電流値の変化量を計算する。この電流値の変化量が異物検出に使用されるモータ１２のトルク情報として取得され、使用される。そして、ステップＳ２０３に進む。
【０１２３】
ステップＳ２０３では、異物検知手段が、ステップＳ２０２で取得した電流値の変化量が予め設定された閾値を超えているか否かをチェックする。電流値の変化量が閾値を超えている場合には、異物を挟み込んだと判断し、ステップＳ２０６へ進む。一方、電流値の変化量が閾値を超えていない場合には、ステップＳ２０４に進む。
【０１２４】
ステップＳ２０４に進んだ場合、２枚の刃部１８，１９が完全に閉じた状態であるかをチェックする。２枚の刃部１８，１９が完全に閉じた状態であることが検出されたら、ステップＳ２０５に進む。一方、２枚の刃部１８，１９が完全に閉じた状態でなければ、ステップＳ２０２に戻る。
ステップＳ２０５に進んだ場合、モータ１２を停止させ、処理を完了する。
【０１２５】
ステップＳ２０６に進んだ場合、すなわち、ステップＳ２０３において異物を挟み込んだと判断した場合、所定のエラー処理を実行する。例えば、モータ１２を停止させるとともに、モータ１２を逆回転させる。
【０１２６】
（変形例３）
この変形例では、２枚の刃部１８，１９の角度変化（角速度）が所定の閾値以上か否かに基づいて異物検知動作を行う。
すなわち、図１１に示すように、ステップＳ２００において、操作部材２２が操作され、モータ１２が駆動を開始する。
【０１２７】
ステップＳ２０２では、回転判断部１１０から取得したモータ１２の回転量に関する情報を基に、２枚の刃部１８，１９の角度変化（角速度）を推定する。例えば、一定時間におけるモータ１２の回転数を角速度の情報とする。この角速度の情報が異物検出に使用されるモータ１２のトルク情報として取得され、使用される。そして、ステップＳ２０３に進む。
【０１２８】
ステップＳ２０３では、異物検知手段が、ステップＳ２０２で取得した角速度が予め設定された閾値未満であるか否かをチェックする。角速度が閾値未満である場合には、異物を挟み込んだと判断し、ステップＳ２０６へ進む。一方、角速度が閾値以上である場合には、ステップＳ２０４に進む。
【０１２９】
ステップＳ２０４に進んだ場合、２枚の刃部１８，１９が完全に閉じた状態であるかをチェックする。２枚の刃部１８，１９が完全に閉じた状態であることが検出されたら、ステップＳ２０５に進む。一方、２枚の刃部１８，１９が完全に閉じた状態でなければ、ステップＳ２０２に戻る。
ステップＳ２０５に進んだ場合、モータ１２を停止させ、処理を完了する。
【０１３０】
ステップＳ２０６に進んだ場合、すなわち、ステップＳ２０３において異物を挟み込んだと判断した場合、所定のエラー処理を実行する。例えば、モータ１２を停止させるとともに、モータ１２を逆回転させる。
【０１３１】
このように、この変形例では、２枚の刃部１８，１９の角度の変化量（角速度）が所定の閾値以上であれば枝を切断していると判断し、角度の変化量（角速度）が所定の閾値未満であれば異物を挟み込んだと判断する。よって、２枚の刃部１８，１９の閉じる速度の低下が僅かな場合には枝を切断しており、２枚の刃部１８，１９の閉じる速度が大きく低下する場合には異物を挟み込んだと判断できるようになっている。
【０１３２】
（変形例４）
この変形例では、２枚の刃部１８，１９の角速度の変化量（角加速度）が所定の閾値以上か否かに基づいて異物検知動作を行う。
すなわち、図１１に示すように、ステップＳ２００において、操作部材２２が操作され、モータ１２が駆動を開始する。
【０１３３】
ステップＳ２０２では、回転判断部１１０から取得したモータ１２の回転量に関する情報を基に、２枚の刃部１８，１９の角速度の変化量（角加速度）を推定する。例えば、所定の周期で一定時間におけるモータ１２の回転数を取得し、前回取得したモータ１２の回転数との差分を基に角加速度を算出する。この角加速度が異物検出に使用されるモータ１２のトルク情報として取得され、使用される。そして、ステップＳ２０３に進む。
【０１３４】
ステップＳ２０３では、異物検知手段が、ステップＳ２０２で取得した角加速度が予め設定された閾値未満であるか否かをチェックする。角加速度が閾値未満である場合には、異物を挟み込んだと判断し、ステップＳ２０６へ進む。一方、角加速度が閾値以上である場合には、ステップＳ２０４に進む。
【０１３５】
ステップＳ２０４に進んだ場合、２枚の刃部１８，１９が完全に閉じた状態であるかをチェックする。２枚の刃部１８，１９が完全に閉じた状態であることが検出されたら、ステップＳ２０５に進む。一方、２枚の刃部１８，１９が完全に閉じた状態でなければ、ステップＳ２０２に戻る。
ステップＳ２０５に進んだ場合、モータ１２を停止させ、処理を完了する。
【０１３６】
ステップＳ２０６に進んだ場合、すなわち、ステップＳ２０３において異物を挟み込んだと判断した場合、所定のエラー処理を実行する。例えば、モータ１２を停止させるとともに、モータ１２を逆回転させる。
【０１３７】
このように、この変形例では、角加速度が所定の閾値以上であれば枝を切断していると判断し、角加速度が所定の閾値未満であれば異物を挟み込んだと判断する。よって、２枚の刃部１８，１９の閉じる速度が緩やかに低下する場合には枝を切断しており、２枚の刃部１８，１９の閉じる速度が急激に低下する場合には異物を挟み込んだと判断できるようになっている。
【０１３８】
（変形例５）
この変形例では、２枚の刃部１８，１９の閉じ角度と電流値とに基づいて異物検知動作を行う。
すなわち、図７に示すように、ステップＳ１００において、操作部材２２が操作され、モータ１２が駆動を開始する。
ステップＳ１０１では、回転判断部１１０がモータ１２の回転量を取得する。そして、ステップＳ１０２へ進む。
【０１３９】
ステップＳ１０２では、一定間隔で電流検出部１２０が電流値を計測する。この電流値が異物検出に使用されるモータ１２のトルク情報として取得され、使用される。そして、ステップＳ１０３に進む。
【０１４０】
ステップＳ１０３では、電流判断部１４０が、回転判断部１１０からモータ１２の回転量に関する情報を取得し、２枚の刃部１８，１９の閉じ角度を推定する。そして、この閉じ角度を基に、予め設定された閾値データから閾値を選択する。選択した閾値は、ステップＳ１０２で取得した電流値と比較される。電流値が閾値を超えている場合には、異物を挟み込んだと判断し、ステップＳ１０６へ進む。一方、電流値が閾値を超えていない場合には、ステップＳ１０４に進む。
【０１４１】
ステップＳ１０４に進んだ場合、２枚の刃部１８，１９が完全に閉じた状態であるかをチェックする。２枚の刃部１８，１９が完全に閉じた状態であることが検出されたら、ステップＳ１０５に進む。一方、２枚の刃部１８，１９が完全に閉じた状態でなければ、ステップＳ１０１に戻る。
ステップＳ１０５に進んだ場合、モータ１２を停止させ、処理を完了する。
【０１４２】
ステップＳ１０６に進んだ場合、すなわち、ステップＳ１０３において異物を挟み込んだと判断した場合、所定のエラー処理を実行する。例えば、モータ１２を停止させるとともに、モータ１２を逆回転させる。
【０１４３】
（変形例６）
この変形例では、２枚の刃部１８，１９の角度変化（角速度）と電流値とに基づいて異物検知動作を行う。
すなわち、図７に示すように、ステップＳ１００において、操作部材２２が操作され、モータ１２が駆動を開始する。
【０１４４】
ステップＳ１０１では、回転判断部１１０から取得したモータ１２の回転量に関する情報を基に、２枚の刃部１８，１９の角度変化（角速度）を推定する。例えば、一定時間におけるモータ１２の回転数を角速度の情報とする。そして、ステップＳ１０２に進む。
ステップＳ１０２では、一定間隔で電流検出部１２０が電流値を計測する。そして、ステップＳ１０３に進む。
【０１４５】
ステップＳ１０３では、ステップＳ１０１で取得した角速度が予め設定された閾値未満であるか否かと、ステップＳ１０２で取得した電流値が予め設定された閾値以上であるか否かがチェックされる。角速度が閾値未満であり、かつ、電流値が閾値以上である場合には、異物を挟み込んだと判断し、ステップＳ１０６へ進む。一方、角速度が閾値以上であるか、または電流値が閾値未満である場合には、ステップＳ１０４に進む。
【０１４６】
ステップＳ１０４に進んだ場合、２枚の刃部１８，１９が完全に閉じた状態であるかをチェックする。２枚の刃部１８，１９が完全に閉じた状態であることが検出されたら、ステップＳ１０５に進む。一方、２枚の刃部１８，１９が完全に閉じた状態でなければ、ステップＳ１０１に戻る。
ステップＳ１０５に進んだ場合、モータ１２を停止させ、処理を完了する。
【０１４７】
ステップＳ１０６に進んだ場合、すなわち、ステップＳ１０３において異物を挟み込んだと判断した場合、所定のエラー処理を実行する。例えば、モータ１２を停止させるとともに、モータ１２を逆回転させる。
【０１４８】
（変形例７）
この変形例では、２枚の刃部１８，１９の角度変化（角速度）と電流値の変化量とに基づいて異物検知動作を行う。
すなわち、図７に示すように、ステップＳ１００において、操作部材２２が操作され、モータ１２が駆動を開始する。
【０１４９】
ステップＳ１０１では、回転判断部１１０から取得したモータ１２の回転量に関する情報を基に、２枚の刃部１８，１９の角度変化（角速度）を推定する。例えば、一定時間におけるモータ１２の回転数を角速度の情報とする。そして、ステップＳ１０２に進む。
【０１５０】
ステップＳ１０２では、一定間隔で電流検出部１２０が電流値を計測し、この電流値を基に、電流変化量計算部１３０が一定時間内における電流値の変化量を計算する。そして、ステップＳ１０３に進む。
【０１５１】
ステップＳ１０３では、ステップＳ１０１で取得した角速度が予め設定された閾値未満であるか否かと、ステップＳ１０２で取得した電流値の変化量が予め設定された閾値以上であるか否かがチェックされる。角速度が閾値未満であり、かつ、電流値の変化量が閾値以上である場合には、異物を挟み込んだと判断し、ステップＳ１０６へ進む。一方、角速度が閾値以上であるか、または電流値の変化量が閾値未満である場合には、ステップＳ１０４に進む。
【０１５２】
ステップＳ１０４に進んだ場合、２枚の刃部１８，１９が完全に閉じた状態であるかをチェックする。２枚の刃部１８，１９が完全に閉じた状態であることが検出されたら、ステップＳ１０５に進む。一方、２枚の刃部１８，１９が完全に閉じた状態でなければ、ステップＳ１０１に戻る。
ステップＳ１０５に進んだ場合、モータ１２を停止させ、処理を完了する。
【０１５３】
ステップＳ１０６に進んだ場合、すなわち、ステップＳ１０３において異物を挟み込んだと判断した場合、所定のエラー処理を実行する。例えば、モータ１２を停止させるとともに、モータ１２を逆回転させる。
【０１５４】
（変形例８）
この変形例では、モータ１２の出力デューティーと電流値に基づいて異物検知動作を行う。
すなわち、図１１に示すように、ステップＳ２００において、操作部材２２が操作され、モータ１２が駆動を開始する。
【０１５５】
ステップＳ２０２では、一定間隔で電流検出部１２０が電流値を計測する。この電流値が異物検出に使用されるモータ１２のトルク情報として取得され、使用される。そして、ステップＳ２０３に進む。
【０１５６】
ステップＳ２０３では、モータ１２の出力デューティーを基に、予め設定された閾値データから閾値を選択する。この閾値は、出力デューティーに比例して、段階的にまたは無段階で高くなるように設定されている。そして、ステップＳ２０２で取得した電流値が選択した閾値を超えているか否かをチェックする。電流値が閾値を超えている場合には、異物を挟み込んだと判断し、ステップＳ２０６へ進む。一方、電流値が閾値を超えていない場合には、ステップＳ２０４に進む。
【０１５７】
ステップＳ２０４に進んだ場合、２枚の刃部１８，１９が完全に閉じた状態であるかをチェックする。２枚の刃部１８，１９が完全に閉じた状態であることが検出されたら、ステップＳ２０５に進む。一方、２枚の刃部１８，１９が完全に閉じた状態でなければ、ステップＳ２０２に戻る。
ステップＳ２０５に進んだ場合、モータ１２を停止させ、処理を完了する。
【０１５８】
ステップＳ２０６に進んだ場合、すなわち、ステップＳ２０３において異物を挟み込んだと判断した場合、所定のエラー処理を実行する。例えば、モータ１２を停止させるとともに、モータ１２を逆回転させる。
【０１５９】
このようにモータ１２の出力デューティーを参照して閾値を決定するようにすれば、電流値のみを参照する場合よりも異物検知の精度を高めることができる。すなわち、電流値が同じであっても出力デューティーが異なればモータ１２の出力が相違するため、電流値と出力デューティーとの両方を参照することで、異物検知の精度を高めることができる。
【０１６０】
（変形例９）
この変形例では、電流値及び電圧値に基づいて異物検知動作を行う。
すなわち、図１１に示すように、ステップＳ２００において、操作部材２２が操作され、モータ１２が駆動を開始する。
【０１６１】
ステップＳ２０２では、一定間隔で電流値と電圧値が計測され、電力値（電流値×電圧値）を算出する。この電力値が異物検出に使用されるモータ１２のトルク情報として取得され、使用される。そして、ステップＳ２０３に進む。
【０１６２】
ステップＳ２０３では、異物検知手段が、ステップＳ２０２で取得した電力値が予め設定された閾値を超えているか否かをチェックする。電力値が閾値を超えている場合には、異物を挟み込んだと判断し、ステップＳ２０６へ進む。一方、電力値が閾値を超えていない場合には、ステップＳ２０４に進む。
【０１６３】
ステップＳ２０４に進んだ場合、２枚の刃部１８，１９が完全に閉じた状態であるかをチェックする。２枚の刃部１８，１９が完全に閉じた状態であることが検出されたら、ステップＳ２０５に進む。一方、２枚の刃部１８，１９が完全に閉じた状態でなければ、ステップＳ２０２に戻る。
ステップＳ２０５に進んだ場合、モータ１２を停止させ、処理を完了する。
【０１６４】
ステップＳ２０６に進んだ場合、すなわち、ステップＳ２０３において異物を挟み込んだと判断した場合、所定のエラー処理を実行する。例えば、モータ１２を停止させるとともに、モータ１２を逆回転させる。
【０１６５】
このように電流値及び電圧値に基づいて異物検知動作を行うようにすれば、使用状況に応じて電圧値が変動するような機械（本実施形態のような充電式の工具）であっても、モータの出力（切断負荷）を正しく把握することができるので、異物検知の精度を高めることができる。
【符号の説明】
【０１６６】
１０  電動はさみ
１１  ケーブル接続部
１２  モータ（動力源）
１３  ボールネジ機構
１４  減速機構
１５  リンク機構
１５ａ  駆動軸
１５ｂ  第１リンク
１５ｃ  第２リンク
１６  支持部材
１６ａ  ガイド溝
１７  ハウジング
１７ａ  リンクカバー部
１７ｂ  操作部材ガード部
１７ｃ  グリップ部
１７ｄ  後端部
１７ｅ  後端面
１８  第１刃部
１８ａ  切断部
１８ｂ  根元部
１８ｃ  接続軸
１９  第２刃部
１９ａ  切断部
１９ｂ  根元部
１９ｃ  接続軸
２０  刃軸
２２  操作部材
２２ａ  シャフト
２２ｂ  第１の操作部
２２ｃ  ローラ
２２ｄ  第２の操作部
２３  揺動部材
２３ａ  揺動軸
２３ｂ  押圧部
２４  マイクロスイッチ
２４ａ  接点部
２５  センサ
２６  回転検出部
３０  ケーブル
３１  芯線
３２  接続端子
３３  分岐部
３４Ａ〜３４Ｎ  メスピン
３５Ａ〜３５Ｄ  芯線
４０  電源装置
４１  スピーカ
４２  ＬＥＤ
４３  ケーブル接続部
４４  二次電池
１００  制御基板（異物検知手段）
１１０  回転判断部
１２０  電流検出部
１３０  電流変化量計算部
１４０  電流判断部
【図１】
2017056196.tif 000003
【図２】
2017056196.tif 000004
【図３】
2017056196.tif 000005
【図４】
2017056196.tif 000006
【図５】
2017056196.tif 000007
【図６】
2017056196.tif 000008
【図７】
2017056196.tif 000009
【図９】
2017056196.tif 000010
【図１０】
2017056196.tif 000011
【図１１】
2017056196.tif 000012
【図８】
2017056196.tif 000013